(57)【要約】【課題】海水用の配管ラインに設けられるバタフライ弁の弁体に、生物が付着しにくくなるようにする。【解決手段】弁箱１の内部に、流路の軸線に交差した弁棒２の軸心の周りに回動する弁体３を備え、弁体３の回動に伴い、弁体３の外周の弁体弁座３ａが弁箱１の内周に沿って装着された弁箱弁座４に接離して、流路が開閉されるバタフライ弁において、弁体３の外周部のうち、流路を開放した状態で下流側となる部分の側面にノズル部材５を取り付け、ノズル部材５は、上流側と下流側とに連通して弁体３の周方向に配置された多数のノズル穴６を有するものとし、それぞれのノズル穴６は、上流側が大径となり、下流側が小径となるテーパー状とする。ノズル穴６から流速が高められて噴出する噴流の掃流効果により、弁体３の下流側外周部への生物の付着が抑制される。【選択図】図１
2016094993.tif 000002
【特許請求の範囲】
【請求項１】
弁箱(1)の内部に、流路の軸線に交差した弁棒(2)の軸心の周りに回動する弁体(3)を備え、弁体(3)の回動に伴い、弁体(3)の外周の弁体弁座(3a)が弁箱(1)の内周に沿って装着された弁箱弁座(4)に接離して、流路が開閉されるバタフライ弁において、
前記弁体(3)の外周部のうち、流路を開放した状態で下流側となる部分の側面にノズル部材(5)を取り付け、ノズル部材(5)は、上流側と下流側とに連通して弁体(3)に配置されたノズル穴(6)を有するものとし、ノズル穴(6)は、上流側が大径となり、下流側が小径となるテーパー状としたことを特徴とするバタフライ弁の生物付着防止構造。
【請求項２】
前記ノズル部材(5)のノズル穴(6)を、弁体(3)の周方向に多数配置したことを特徴とする請求項１に記載のバタフライ弁の生物付着防止構造。
【請求項３】
前記ノズル部材(5)を、弁体(3)の両側面にそれぞれ取り付け、一方の側面のノズル部材(5)のノズル穴(6)と、他方の側面のノズル部材(5)のノズル穴(6)とが、弁体(3)の周方向に互い違いにずれて配置されるようにしたことを特徴とする請求項２に記載のバタフライ弁の生物付着防止構造。
【発明の詳細な説明】
【技術分野】
【０００１】
この発明は、海水用の配管ラインに用いるバタフライ弁において、貝類等の生物の付着を防止する構造に関するものである。
【背景技術】
【０００２】
プラント等において海水を通水する配管ラインに設けられたバタフライ弁は、貝類等の生物の付着により、損傷を生じることがある。
【０００３】
その対策として、下記特許文献１には、図４に示すように、弁箱５１の内部に、流路の軸線に交差した弁棒５２を軸心として回動する弁体５３を備えたバタフライ弁において、弁棒５２の軸心周りで弁箱５１の内周面との摺動面をなす弁体ボス部５３ｂの周囲の弁体５３の側面に板状の翼体５４を設け、弁体５３を全開して流路を開放した状態で、翼体５４と弁箱５１の内周面との間の流路断面が上流側から下流側へかけて縮小するようにした生物付着防止構造が記載されている。
【０００４】
このような生物付着防止構造では、弁体５３を全開して流路を開放した状態において、翼体５４に案内される海水の流速が増大するので、掃流効果が弁体ボス部５３ｂの周囲で大きくなり、弁体ボス部５３ｂの周囲への生物の付着が抑制される。
【先行技術文献】
【特許文献】
【０００５】
【特許文献１】特開２００４−９２７０９号公報
【発明の概要】
【発明が解決しようとする課題】
【０００６】
ところが、実際に調査を行ったところ、バタフライ弁においては、弁体ボス部５３ｂの周囲ではなく、図５に示すように、弁体５３の外周部のうち、流路を開放した状態で下流側となる部分に生物Ｓが付着しやすいことが判明した。
【０００７】
このような部分に貝類等の生物Ｓが付着した状態で弁体５３を閉じると、弁体５３の外周の弁体弁座５３ａと弁箱弁座５５との間に生物Ｓが噛み込み、弁箱弁座５５及び弁体弁座５３ａが損傷して、止水性が低下する恐れがあり、弁箱弁座５５及び弁体弁座５３ａの交換作業には、多大な労力とコストが必要とされる。
【０００８】
そこで、この発明は、海水用の配管ラインに設けられるバタフライ弁の弁体への生物の付着を抑制し、弁箱弁座及び弁体弁座の損傷を防止することを課題とする。
【課題を解決するための手段】
【０００９】
上記のような課題を解決するため、この発明は、弁箱の内部に、流路の軸線に交差した弁棒の軸心の周りに回動する弁体を備え、弁体の回動に伴い、弁体の外周の弁体弁座が弁箱の内周に沿って装着された弁箱弁座に接離して、流路が開閉されるバタフライ弁において、前記弁体の外周部のうち、流路を開放した状態で下流側となる部分の側面にノズル部材を取り付け、ノズル部材は、上流側と下流側とに連通して弁体に配置されたノズル穴を有するものとし、ノズル穴は、上流側が大径となり、下流側が小径となるテーパー状としたものである。
【００１０】
また、前記ノズル部材のノズル穴を、弁体の周方向に多数の配置したものである。
【００１１】
また、前記ノズル部材を、弁体の両側面にそれぞれ取り付け、一方の側面のノズル部材のノズル穴と、他方の側面のノズル部材のノズル穴とが、弁体の周方向に互い違いにずれて配置されるようにしたものである。
【発明の効果】
【００１２】
この発明に係るバタフライ弁の生物付着防止構造では、弁体を開いて流路を開放した状態で、流路を流れる海水がノズル部材のノズル穴を通過すると、海水はノズル穴から流速が高められて噴出し、弁体の下流側外周部に沿って流れるので、この噴流の掃流効果により、弁体の下流側外周部への生物の付着が抑制され、生物の噛み込みによる弁箱弁座及び弁体弁座の損傷や止水性の低下が防止される。
【図面の簡単な説明】
【００１３】
【図１】この発明に係るバタフライ弁の生物付着防止構造を示す斜視図
【図２】同上の弁体が閉じた状態を示す（ａ）正面図、（ｂ）縦断側面図
【図３】同上の弁体が開いた状態を示す配管ラインの縦断側面図
【図４】特許文献１に記載のバタフライ弁の生物付着防止構造を示す縦断側面図
【図５】生物が付着した弁体を閉じる過程を示す配管ラインの横断平面図
【発明を実施するための形態】
【００１４】
以下、この発明の実施形態を図１乃至図３に基づいて説明する。
【００１５】
図１及び図２に示すバタフライ弁は、通常のものと同様、弁箱１の内部に、流路の軸線に交差した弁棒２を軸心として回動する弁体３を備え、図３に示すように、海水を通水する配管ラインに介設される。そして、弁体３の回動に伴い、弁体３の外周の弁体弁座３ａが弁箱１の内周に装着されたゴム製の弁箱弁座４に接離して、流路が開閉される。
【００１６】
弁体３は、ゴム製のライニングで全面的に被覆され、弁体３の外周部のうち、流路を開放した状態で下流側となる部分の両側面には、弧状に湾曲したゴム製角棒材から成るノズル部材５が取り付けられている。
【００１７】
ノズル部材５には、上流側と下流側とに連通して弁体３の周方向に配置された多数のノズル穴６が穿設されている。それぞれのノズル穴６は、上流側が大径となり、下流側が小径となるテーパー状とされている。
【００１８】
そして、弁体３の一側面のノズル部材５のノズル穴６と、他側面のノズル部材５のノズル穴６とが、弁体３の周方向に互い違いにずれて配置されている。
【００１９】
上記のようなノズル部材５を取り付けたバタフライ弁では、弁体３を開いて流路を開放した状態で、流路を流れる海水がノズル部材５のノズル穴６を通過すると、海水はノズル穴６から流速が高められて噴出し、弁体３の下流側外周部に沿って流れるので、この噴流の掃流効果により、弁体３の下流側外周部への生物の付着が抑制される。
【００２０】
このため、弁体３を閉じたときに、弁体弁座３ａと弁箱弁座４の間に生物が噛み込んで弁箱弁座４及び弁体弁座３ａが損傷する現象が防止され、止水性の低下が防止される。
【００２１】
また、弁体３の一側面に取り付けられたノズル部材５のノズル穴６と、他側面に取り付けられたノズル部材５のノズル穴６とが弁体３の周方向にずらされているので、それぞれのノズル部材５におけるノズル穴６の間の部分においても、弁体３の下流側外周部に噴流が沿うこととなり、この外周部全体への生物の付着防止効果が得られる。
【００２２】
このような生物付着防止構造は、新たに製造するバタフライ弁だけでなく、配管ラインに既に設置されているバタフライ弁に対しても、弁体３にノズル部材５を取り付けるだけで、実現することができる。
【００２３】
なお、弁体３へのノズル部材５の取り付けは、接着剤を用いて行うほか、ビス止め、溶接、鋳込み等により行ってもよい。
【００２４】
また、弁体弁座３ａや弁箱弁座４、ノズル部材５の材質として、ゴムを使用したものを例示したが、プラスチックや金属を使用してもよい。
【符号の説明】
【００２５】
１  弁箱
２  弁棒
３  弁体
３ａ  弁体弁座
４  弁箱弁座
５  ノズル部材
６  ノズル穴
【図１】
2016094993.tif 000003
【図２】
2016094993.tif 000004
【図３】
2016094993.tif 000005
【図４】
2016094993.tif 000006
【図５】
2016094993.tif 000007